(57)【要約】【課題】腸瘻患者が快適な生活を送ることができ、且つ介護負担を軽減することが可能となる患者用衣服を提供する。【解決手段】ａ）患者の脇腹を覆う上着１の前面部分２に、腸瘻用のチューブＫを貫通可能に開設したチューブ引出し口３と、ｂ）該上着１の前記チューブ引出し口３の上方部位４に、基端部５ａが該上着１表面に固着され、該基端部５ａと先端部５ｂとに前記チューブＫを抱持状態に着脱する係止手段６を備えたチューブ中間止め帯５と、ｃ）該上着１に設けた前記チューブ中間止め帯５の上方部位７に、前記上着１表面に足高に止めたボタン８と、ｄ）該ボタン８が貫通可能な大きさのボタン孔１１を、長手方向の中間部位に間隔を置いて複数設けた伸縮性チューブ折畳み止め帯１０とを備えたことを特徴とする。【選択図】    図１
2013117077.tif 000002
【特許請求の範囲】
【請求項１】
ａ）患者の脇腹を覆う上着の前面部分に、腸瘻用のチューブを貫通可能に開設したチューブ引出し口と、
ｂ）該上着の前記チューブ引出し口の上方部位に、基端部が該上着１表面に固着され、該基端部と先端部とに前記チューブを抱持状態に着脱する係止手段を備えたチューブ中間止め帯と、
ｃ）該上着に設けた前記チューブ中間止め帯の上方部位に、前記上着表面に足高に止めたボタンと、
ｄ）該ボタンが貫通可能な大きさのボタン孔を、長手方向の中間部位に間隔を置いて複数設けた伸縮性チューブ折畳み止め帯と、
を備えたことを特徴とする腸瘻患者用衣服。
【請求項２】
チューブ引出し口を、上着を縦に切り開いた側部寄りの開口辺部に当て布をして該当て布を該開口辺部に縫合するとともに該当て布の上辺部と下辺部を上着の裏に縫合し、横向きに貫通した筒状を成すチューブ引出し口としたことを特徴とする請求項１に記載の腸瘻患者用衣服。
【請求項３】
チューブ引出し口の中央寄りの開口辺部と、当て布側の内部開口辺部とに、伸縮性を備えた吊帯を架設し、該吊帯の中間部位に摘み部を突設したことを特徴とする請求項２に記載の腸瘻患者用衣服。
【請求項４】
チューブ中間止め帯の先端部に設けた係止手段よりも更に先端側に摘み部を設けたことを特徴とする請求項１から３のうちいずれかに記載の腸瘻患者用衣服。
【請求項５】
チューブ折畳み止め帯の中間部位置に、短手方向に細長く形成したボタン孔を４個設け、各ボタン孔の設置間隔を、中央寄りの２個のボタン孔間は数回折り畳んだチューブを抱持可能な長さとし、その両外側の２個のうち一方側のボタン孔とその内側のボタン孔との間はループにしたとき前記チューブ１本を抱持可能な長さとし、他方側のボタン孔とその内側の間はループにしたとき三方活栓を抱持可能な長さとしたことを特徴とする請求項１から４のうちいずれかに記載の腸瘻患者用衣服。
【請求項６】
チューブ折畳み止め帯の両端部に摘み部を設けたことを特徴とする請求項１から５のうちいずれかに記載の腸瘻患者用衣服。
【請求項７】
上着のボタンの直下方部位に、折り畳んだチューブを収納可能な胸ポケットを設けたことを特徴とする請求項１から６のうちいずれかに記載の腸瘻患者用衣服。
【請求項８】
上着のボタンの直上方部位に、チューブ折畳み止め帯に折り畳んで止めたチューブを覆う布の上辺を縫着し、該布の下辺部を面ファスナー又はホックで上着に係止可能としたチューブカバーを設けたことを特徴とする請求項１から７のうちいずれかに記載の腸瘻患者用衣服。
【発明の詳細な説明】
【技術分野】
【０００１】
本発明は、腸瘻患者が栄養等の注入用チューブを留置したままで使用する衣服に関する。
【背景技術】
【０００２】
経口摂取困難な脳疾患及び消化器系疾患の患者に対して、腹部から腸に達する瘻孔を形成し、その瘻孔からチューブで直接水分、栄養及び薬品を腸に流入させることが行われている。
このような腸瘻患者が使用するチューブは通常長期間身体に留置され、一日に数度行われる流入作業は、チューブを衣服の中から外に出して行うため、患者や介護者にとって多大な労力を要している。また患者にとって、長いチューブが身体から外されずに装着されたままとなっているので入院生活や日常生活に大変煩わしい。
従来、点滴などのチューブ等に関しては、下記特許文献１に、配線、配管を係止する係止具を設けた患者用の衣服が提案されている。この衣服が長く垂れ下がるチューブを引上げて衣服の表面に設けた係止具に吊ることができるのでチューブが扱い易くなる利点がある。
【先行技術文献】
【特許文献】
【０００３】
【特許文献１】特開平７−２７８９２１号公報
【発明の概要】
【発明が解決しようとする課題】
【０００４】
しかし、上記特許文献１の衣服では、毎回ホックを外して衣服の中からのチューブの出し入れが面倒であり、又係止具はチューブを単に吊り上げるものなので、長いチューブの暴れまでは防げず、その点でチューブを長期間使用する腸瘻患者用の衣服とするには適していない。
本発明は、上記実情に鑑み、細長く不安定な状態となるチューブを常に定位置に納まるようにすることで腸瘻患者にとって快適な生活が得られ、又介護者のチューブ流入作業の負担を軽減することが可能となる腸瘻患者専用の衣服を提供することを目的とするものである。
【課題を解決するための手段】
【０００５】
本発明は、上記課題を解決するため以下の構成とした。
即ち、請求項１の発明の腸瘻患者用衣服においては、ａ）患者の脇腹を覆う上着の前面部分に、腸瘻用のチューブを貫通可能に開設したチューブ引出し口と、ｂ）該上着の前記チューブ引出し口の上方部位に、基端部が該上着１表面に固着され、該基端部と先端部とに前記チューブを抱持状態に着脱する係止手段を備えたチューブ中間止め帯と、ｃ）該上着に設けた前記チューブ中間止め帯の上方部位に、前記上着表面に足高に止めたボタンと、ｄ）該ボタンが貫通可能な大きさのボタン孔を、長手方向の中間部位に間隔を置いて複数設けた伸縮性チューブ折畳み止め帯と、を備えたことを特徴とする。
【０００６】
請求項２の発明は、上記発明において、前記チューブ引出し口を、上着を縦に切り開いた側部寄りの開口辺部に当て布をして該当て布を該開口辺部に縫合するとともに該当て布の上辺部と下辺部を上着の裏に縫合し、横向きに貫通した筒状を成すチューブ引出し口としたことを特徴とする。
【０００７】
請求項３の発明は、上記発明において、前記チューブ引出し口の中央寄りの開口辺部と、当て布側の内部開口辺部とに、伸縮性を備えた吊帯を架設し、該吊帯の中間部位に摘み部を突設したことを特徴とする。
【０００８】
請求項４の発明は、上記発明において、前記チューブ中間止め帯の先端部に設けた係止手段よりも更に先端側に摘み部を設けたことを特徴とする。
【０００９】
請求項５の発明は、上記発明において、前記チューブ折畳み止め帯の中間部位置に、短手方向に細長く形成したボタン孔を４個設け、各ボタン孔の設置間隔を、中央寄りの２個のボタン孔間は数回折り畳んだチューブを抱持可能な長さとし、その両外側の２個のうち一方側のボタン孔とその内側のボタン孔との間はループにしたとき前記チューブ１本を抱持可能な長さとし、他方側のボタン孔とその内側の間はループにしたとき三方活栓を抱持可能な長さとしたことを特徴とする。
【００１０】
請求項６の発明は、上記発明において、前記チューブ折畳み止め帯の両端部に摘み部を設けたことを特徴とする。
【００１１】
請求項７の発明は、上記発明において、前記上着のボタンの直下方部位に、折り畳んだチューブを収納可能な胸ポケットを設けたことを特徴とする。
【００１２】
請求項８の発明は、上記発明において、前記上着のボタンの直上方部位に、チューブ折畳み止め帯に折り畳んで止めたチューブを覆う布の上辺を縫着し、該布の下辺部を面ファスナー又はホックで上着に係止可能としたチューブカバーを設けたことを特徴とする。
【発明の効果】
【００１３】
本発明における各請求項に係る発明は以下の如き効果を奏する。
即ち、請求項１の発明においては、衣服を乱すことなく腸瘻用チューブをチューブ引出し口から出したまま、そのチューブの中間部を衣服の前記チューブ引出し口の上方部位に設けたチューブ中間止め帯に固定しておくことができる。
その際、更にその先のチューブ部分は、前記チューブ中間止め帯より上方に設けたチューブ折畳み止め帯で、長いチューブを折り返して全てを纏めてコンパクトに止めることができる。この結果、長い腸瘻用チューブの大きな垂れ下がりや、乱れを解消することが可能となる。
又、チューブ折畳み止め帯は、上着の表面に足高に縫い止めたボタンに回転自由な状態に止められるので、腸瘻用チューブの弾力性によって決まる止め向きに追随して無理なく方向が変えられる。この結果、該チュ−ブが無理に鋭角に折曲されるのが防止され、流入使用中の該チューブの途中で流路の縮小や閉鎖が防止可能となる。更に、該チューブの弾発力を起因とする衣服の捩れも防止することが可能となる。
【００１４】
請求項２に記載の発明では、外側のチューブ引出し口が開いても、当て布で開口部の合わせ目が二重となっているので内部の肌が直接露出するのを防止可能となる。
更に、衣服のホックやボタンなどを外さずにチューブ引出し口を開くころで、腹部の腸瘻開口部を覗き見て接続状態を確認する作業を容易に行うことが可能となる。
【００１５】
請求項３に記載の発明では、前記吊帯が、チューブ引出し口に貫通させた腸瘻用チューブの中間を、チューブ引出し口の開口部下部に荷重を受けずに下から支える。その際、該吊帯は伸縮性を備えているので、腸瘻用チューブの荷重を受けて下方に伸び、腸瘻用チューブに対して加わる無理な付加を逃がして安定的に腸瘻用チューブを支えることが可能となる。
又、腸瘻用チューブをチューブ引出し口へに貫通させる際、伸縮性を備えた前記吊帯の中間部位に設けた摘み部を容易に摘んで吊帯を引いて、開口を大きく開き、容易に腸瘻用チューブを通すことが可能となる。
【００１６】
請求項４に記載の発明では、前記チューブ中間止め帯の係止手段よりも先端側に設けた摘み部を摘むことで、チューブの中間をチューブ中間止め帯に容易に着脱することが可能となる。
【００１７】
請求項５に記載の発明では、前記チューブ折畳み止め帯の中央寄りの長い間隔部位にはチューブを数回折り返して両方のボタン孔をボタンにループ状にして止めることができ、また、その先の一方側にはチューブ１本を抱持してボタン止めでき、更に、他方側のボタン孔とその外側のボタン孔との間には三方活栓を抱持してボタン止めすることが可能となる。
このようにボタン孔間の各部に、専用に分けて腸瘻用チューブの中間部分や三方活栓を止めることで、各個別にボタンをボタン孔に着脱することで、栄養等の注入作業の際に、腸瘻用チューブを扱い易くなる。
【００１８】
請求項６に記載の発明では、前記ボタン孔の外側の設けた摘み部を指で摘むことで腸瘻用チューブ及び三方活栓の着脱作業が容易となり、作業能率を高めることができる。
【００１９】
請求項７の発明の発明では、上着のボタンの直下方部位に胸ポケットを設けたので、チューブ折畳み止め帯に折り畳んだで止めた腸瘻用チューブを下から支えるように収納することが可能となる。
このため、蛇行して折り畳まれた腸瘻用チューブの下方部分が胸ポケットに隠され、見映えが良くなる。又、チューブ折畳み止め帯を介してボタンへ加わるチューブの荷重を緩和して上着に止めたボタンの糸が擦り切れるのを防止することが可能となる。
【００２０】
請求項８の発明の発明では、前記チューブカバーでチューブ折畳み止め帯に折り畳んだで止めた腸瘻用チューブが露出するのを防ぎ、見映えを良くし、腸瘻用チューブが移動中の擦れ違いで周囲の医療用機材の一部に引っ掛かるのを防止することが可能となる。又、腸瘻用チューブの使用の際にはチューブカバーの下辺部が面ファスナー又はホックで着脱が容易に行える。
【図面の簡単な説明】
【００２１】
【図１】本発明の使用状態を示す正面図である。
【図２】（イ）は腸瘻用チューブをチューブ引出し口に貫通させる前の状態を示し、（ロ）は腸瘻用チューブをチューブ引出し口に貫通させた後の状態を示す各チューブ引出し口の要部の各正面図である。
【図３】一箇所をボタン止めして、全開した状態を示すチューブ折畳み止め帯を示し、摘み部の端部を（イ）はかがり縫いした態様であり、（ロ）は帯を折り返して糸で縫い合わせた態様を示す各正面図である。
【図４】（イ）はチューブ折畳み止め帯の中央に折り畳んだ腸瘻用チューブを挟んでボタンで止めた状態を示し、（ロ）は前記（イ）の状態を更に腸瘻用チューブの一本を挟んで一方端部をボタンで止めた状態を示し、（ハ）は（ロ）の状態を更に三方活栓を挟んで他方端部をボタンで止めた状態を示す各チューブ折畳み止め帯の使用状態を示す各正面図である。
【図５】胸ポケットを備えた形態の要部を示す正面図である。
【図６】チューブカバーを備えた形態の要部を示す正面図である。
【図７】チューブカバーに名札を備えた形態の要部を示す正面図である。
【図８】着脱式のチューブカバーを備えた形態の要部を示す正面図である。
【発明を実施するための形態】
【００２２】
本発明の腸瘻患者用衣服の実施形態を、以下本発明の実施例を示す図に基づいて説明する。
一般的に腸瘻患者用衣服の着る上着には、患部を診断・観察したり、腸瘻用チューブの注入作業を行うために、間単に外せるホックで前が開閉し易いものが使用されている。
使用される腸瘻用チューブＫは、折り曲げても湾曲状態となって通液路が容易に閉鎖しないように透明な合成樹脂製の柔軟で弾力性のある素材で作られた直径２ｍｍから４ｍｍ程度の細長い管が多い。
本発明は、該図１に示すように、前記上着１には、腸瘻患者の脇腹部分を覆う前面部分２に設けたチューブ引出し口３と、該上着１の前記チューブ引出し口３の上方部位４に設けたチューブ中間止め帯５と、該上着１に設けた前記チューブ中間止め帯５の上方部位７に設けたボタン８を備え、更に、該ボタン８が貫通可能な大きさのボタン孔１１を、長手方向の中間部位に間隔を置いて複数設けた伸縮性のチューブ折畳み止め帯１０を備え、該ボタン孔１１に前記ボタン８を通して止めて構成されるものである。
【００２３】
前記チューブ引出し口３を設ける目的は、腹部に繋がる腸瘻用チューブＫが上着を貫通して上着の外側に導くことなので、単に貫通した孔を設ければその目的は達成される。
しかし、腸瘻患者は、衛生面を考慮し、上着は毎日又は数日置に着替をすることとなるので、その度毎に腸瘻用チューブの装着をし直すこととなり、腸瘻用チューブが通し難い小さい孔では手間が掛かって不便である。
このため、チューブ引出し口３を、図２に示すように、上着１を手の入る程度の大きさに縦に切り開き、その側部寄りの開口辺部１２ｂに当て布１３をして該当て布１３の繋ぎ辺部１３ａを該開口辺部１２ｂに縫合する。さらに該当て布１３の上辺部１３ｂと下辺部１３ｃを上着１の裏面に縫合することで、該当て布１３の内部開口辺部１３ｄから前記  開口辺部１２ｂまで当て布で横向きに貫通した筒状を成すチューブ引出し口３を形成する。
前記チューブ引出し口３は前記当て布１３で開口部が二重となるため、開口部を開いても、内部の肌は当て布１３で隠され見えなくなる。
【００２４】
更に、該チューブ引出し口３には、図２に示すように、上着１の中央寄り開口辺部１２ａと、当て布１３の内部開口辺部１３ｄとに、横幅のある帯状ゴム紐等の伸縮性を備えた吊帯１５の両端部１５ａ、１５を僅かに垂れる程度に緩く架け渡して縫い付ける。
前記吊帯１５の両端部１５ａを縫い付ける上着の中央寄り開口辺部１２ａと、当て布１３の内部開口辺部１３ｄとの高さ位置は、腸瘻用チューブの重みで吊帯１５が垂れ下がるのを、筒状内部に納めるように、中央高さよりも上部側の上端部寄りの位置とする。
そして、前記吊帯１５の中間部位に摘み部１６を突設する。この摘み部１６は前記吊帯１５の中間部位を２つに折って、折った両側から一定の長さに縫い付ければ摘み部１６としての突起が形成される。
この突起状の摘み部１６を指で摘んで引くと、該チューブ引出し口３が開くので前記チューブＫの該チューブ引出し口３への差込みが容易となる。
【００２５】
又、前記上着１の前記チューブ引出し口３の上方部位４に設けるチューブ中間止め帯５には、図１に示すように、基端部５ａを該上着１の表面に縫い付けて、該基端部５ａと先端部５ｂとに前記チューブＫを抱持状態に着脱する係止手段６を設ける。
該チューブ中間止め帯５の係止手段６には、その基端部５ａと先端部５ｂと対面する面ファスナーやホック（図省略）等を使用すれば、自由な締め付け程度で前記チューブＫを抱持できるので好ましい。
そして、前記チューブ中間止め帯５の係止手段６よりも更に先端側に摘み部１４を延設する。この摘み部１４は簡単に摘める程度の長さで帯を折り返して縫合することで形成できる。
【００２６】
更に、該上着１に設けた前記チューブ中間止め帯５の上方部位７に、前記上着１表面に足高に止めたボタン８を設ける。このボタン８の付け方は、ボタン穴に糸を通して糸を生地との間を６回往復させ、ボタン８を引っ張って生地とボタン８の間の間隔を広げ、更に生地とボタン８の間の糸を束ねるように５、６回巻きつけて再度生地に糸を通して玉留めする。こうして、生地とボタン８との間隔が大きく足高なボタン８付けができる。
なお、ボタンを足高とする簡便的な方法として、ボタンの裏の突起が形成され該突起にボタン穴を備えた足付きボタンを用いても良い。
【００２７】
そして、該ボタン８には、図３の（イ）及び（ロ）に示すように、チューブ折畳み止め帯１０をボタン孔１１で止める。
該ボタン孔１１には前記チューブ折畳み止め帯１０の中間部位置に短手方向に細長く形成し、４個のボタン孔１１ａ、１１ｂ、１１ｃ、１１ｄを設ける。
各ボタン孔１１ａ、１１ｂ、１１ｃ、１１ｄの設置間隔は、中央寄りの２個の間隔Ａは数回折り畳んだチューブを抱持可能な長さとする。
そして、その両外側の２個のうち一方側のボタン孔１１の間隔はその間をループにしたとき前記チューブ１本を抱持可能な間隔Ｂとする。従って、前記中央寄りの２個の間隔寄りも短くする。
又、他方側のボタン孔１１の間隔は、その間をループにしたとき一個の三方活栓１８を抱持可能な間隔Ｃとする。三方活栓１８は腸瘻用チューブＫに繋がる管の部分を１本包持できれば良いので、この間隔も前記中央寄りの２個の間隔寄り短くする。
【００２８】
前記チューブ折畳み止め帯１０は伸縮性に富んでいる帯状のゴム紐が使用できる。そして、いずれのボタン孔１１ａ、１１ｂ、１１ｃ、１１ｄも短手方向に細長く形成したことで、全体を引き伸ばすと、ボタン孔１１は大きく開く。このためボタン８が入れやすくなる。これに対して、ボタン孔１１を長手方向に細長く形成すると該ューブ折畳み止め帯１０を引き伸ばしてもボタン孔１１が開かないので使用しない。
又、前記いずれのボタン孔１１ａ、１１ｂ、１１ｃ、１１ｄについても、綻びを防いで周囲を補強するため糸で孔周囲をジグザグにかがり縫いをする。
更に、それらのボタン孔より外側には摘み部１７を設ける。この摘み部１７は帯に簡単に指で摘める程度の長さを確保して形成する。この端部は、図３の（イ）に示すように、単にかがり縫いをしたり、又、図３の（ロ）に示すように、帯を折り返して糸で縫合することで、端部からのほつれを防止することが可能となる。
【００２９】
又、図５に示すように、胸ポケット１９を、上着のチューブ折畳み止め帯１０の直下方部位に設けることができる。この胸ポケット１９には折り畳んだチューブＫが収納可能となり、図５に示すように、蛇行して折り畳まれた腸瘻用チューブの下方部分が胸ポケットで隠され、見映えを良くし、又、チューブ折畳み止め帯を介してボタンへ加わるチューブの荷重を緩和することができる。このため上着に止めたボタンの糸が長期間切れないように維持することが可能となる。
なお、上着の表面側に開口する前記胸ポケット１９は、上着１の表面に布を当てて袋状に形成するポケットであっても良く、又、上着１の裏面に布を当てて袋状に形成するポケットであっても良い。
【００３０】
更に、図６に示すように、布製のチューブカバー２０を、上着のチューブ折畳み止め帯１０の直上方部位７に水平なチューブカバーの縫着部２０ａで縫着し、下辺を上下に開くように設けることもできる。
その際、下辺部には面ファスナー対向部２１ｂを設けて、上着の対向部位に面ファスナー対向部２１ａを設ければ、このファスナー２１で下辺部が上着１の表面から容易に着脱可能となる。
該チューブカバー２０で、図６及び図７に示すように、前記ボタン８に止めたて曲りくねった状態のチューブが隠せるので、見映えが良くなり、又すれ違いで擦れ合ったときに周囲の医療機器などにチューブＫが引っ掛かかるのを防止でき、安全となる。
なお、図７に示すように、上着１には前側に名札２２を付けると、該名札には、生年月日、血液型等の患者の個人情報を記入しておくとができるので、事故など緊急時にその情報が役立つ。
【００３１】
又、前記チューブカバーは、図８に示すように、上部と下部の上着１側とチューブカバー側の対向部位に対面が付着する面ファスナー２３、２３を設け、該面ファスナー２３、２３で着脱する着脱式のチューブカバー２２とすることも可能である。この場合には上着１にチューブカバーを縫着する必要がなくなる。
【００３２】
次に本発明の腸瘻患者用衣服の使用方法について説明する。
腸瘻患者用衣服の着衣時には、予め、図３に示すチューブ折畳み止め帯１０を、中央寄りの１つのボタン孔１１ａにボタン８で上着１に止めて置く。
そして、図１に示すように、前記吊帯１５の摘み部１６を引いて開口部を広げ、前記チューブ引出し口３から手を入れて患者の腹部に接続した腸瘻用チューブＫを摘み、前記チューブ引出し口３から前記吊帯１５の上を通して外に引き出す。
腸瘻患者用衣服の着衣後に腸瘻用チューブＫを患者の腹部に接続する場合には、前記吊帯１５の摘み部１６を引いて開口部を広げ、前記吊帯１５の上を通して腸瘻用チューブＫを上着の内部に入れ、瘻孔に腸瘻用チューブＫの先端部を接続する。
前記チューブ引出し口３から外に引き出した腸瘻用チューブＫは一旦緩く纏めてその下に設けた下ポケットＰに入れて置くと良い。
次に、前記チューブ引出し口３から外に導き出された腸瘻用チューブＫは、その中間部位をチューブ中間止め帯５に当てて、係止手段６で前記腸瘻用チューブＫを包むように固定する。
【００３３】
そして、前記チューブ中間止め帯５に止めた腸瘻用チューブＫの先方側を引上げて数回折り畳んでコンパクトにし、図３に示す如く、前記ボタン８に止められている前記チューブ折畳み止め帯１０の中央側のボタン孔１１ａ、１１ｂ間Ａに当てて、図４の（イ）に示す如く、該腸瘻用チューブＫの折り畳み部分を包むようにループを形成してボタン孔１１ｂを前記ボタン８に止める。
前記ボタン８と生地との間の間隔は、前記チューブ折畳み止め帯１０を多数重ねて止める程度に広く形成され、足高に取り付けられているので、多数折り返したチューブ折畳み止め帯１０の各ボタン孔１１ａ、１１ｂ、１１ｃ、１１ｄ１１部分を重ねて、複数のボタン孔１１を一度に多数重ねて同時にボタン止めすることが可能となる。
この際、チューブ折畳み止め帯１０の中央側のボタン孔１１ａ、１１ｂ間Ａに、腸瘻用チューブＫの残り殆どの部分を折り畳めば、衣服から腸瘻用チューブＫが垂れ下がることがないので生活の邪魔にはならない。
【００３４】
次に、腸瘻用の栄養剤などの用液を入れた容器に腸瘻用チューブＫを接続して使用する場合を説明する。
先ず、図４の（ロ）に示すように、折り畳み回数を調節して腸瘻用チューブＫを中央側のボタン孔１１ａ、１１ｂ間Ａに当ててチューブ折畳み止め帯１０をループ状にして止める。そして、最後の折り畳み部分から腸瘻用チューブＫを長く突出させ、その突出させた部分を、前記チューブ折畳み止め帯１０の中央側のボタン孔１１ｂとその外側のボタン孔１１ｃとの間Ｂに当ててループ状にして挟んでボタン８で止める。
そして、この長く突出させた腸瘻用チューブＫの末端部は腸瘻用の用液を入れた容器に接続する。
即ち、該容器から前記チューブ折畳み止め帯１０まで長さ調節されて伸びた１本の腸瘻用チューブＫは、前記容器と前記チューブ折畳み止め帯１０との間に大きくは垂れ下がらずに止められる。
【００３５】
そして、患者が移動するときに誤って腸瘻用チューブＫを強く引いてしまった場合でも、腸瘻用チューブＫは前記チューブ折畳み止め帯１０に屈曲させて折り返して止まっているので、腸瘻用チューブＫがチューブ折畳み止め帯１０から引き抜かれる虞がない。
又、前記チューブ折畳み止め帯１０はボタン８に回転フリーな状態でボタン止めしたものなので、前記チューブ折畳み止め帯１０から腸瘻用チューブＫの引出し方向が変化しても、その変化に自由に追随して引出し方向を変えられる。このため、栄養注入などに使用中の腸瘻用チューブＫが途中で折れるのを防止でき、この結果、腸瘻用チューブＫの中折れ閉塞の防止が可能となる。
【００３６】
用液の注入が終了したら、腸瘻用チューブＫを前記容器から分離し、外側のボタン孔１１ｃを外して、更に中央寄りのボタン孔１１ｂを外して、再度腸瘻用チューブＫを先端部分までコンパクトに折り畳み、その中央寄りのボタン孔１１ｂでその折り畳み部分を包むようにボタン止めする。
【００３７】
腸瘻用チューブＫの端部の先端に三方活栓１８が固着されているものでは、図４の（ハ）に示すように、チューブ折畳み止め帯１０のボタン孔１１ａと１１ｄの間Ｃに、腸瘻用チューブＫの端部に装着した三方活栓１８を包むようにして、ボタン孔１１ｄでボタン止めする。
以上の如く、前記腸瘻用チューブＫが三方活栓１８等の各部に対応させて止めれば、前記腸瘻用チューブＫが長く絡み易いものであっても、チューブ折畳み止め帯１０によって、上着１の表にコンパクトに納まり、日常生活の邪魔にはならない。
【００３８】
なお、チューブ折畳み止め帯１０の各部Ａ、Ｂ、Ｃに止めた腸瘻用チューブＫは、栄養等の注入作業では、前記三方活栓１８を押えているボタン８を外し、又、前記腸瘻用チューブＫの折り畳み回数を調節してチューブ折畳み止め帯１０から用液を入れた容器までの長さを最適な長さに調節して使用することができる。
又、各ボタン孔１１ａ、１１ｂ、１１ｃ、１１ｄ１１間Ａ、Ｂ、Ｃの長さは異なる長さとなっているので、腸瘻用チューブＫが通常よりも長い場合には折り畳み回数も多くしてコンパクトに折り畳むので、中央のボタン孔１１ａ、１１ｂ間Ａの長さでは長さが足りない場合も起こり得る。
その場合には、中央のボタン孔１１ｂを１つ飛ばしてその外側のボタン孔１１ｃまでの長さを加えた大きなループを形成し、折り畳み回数が通常より多い場合の腸瘻用チューブＫであっても纏めて止めることが可能である。
【００３９】
又、その際のチューブ折畳み止め帯１０のボタン８への各ボタン孔１１ａ、１１ｂ、１１ｃ、１１ｄの着脱は、摘み部１７を摘んで引っ張れば、容易に効率良く行うことが可能となる。
このように、チューブ折畳み止め帯１０の各Ａ、Ｂ及びＣ部分の使用は、前記腸瘻用チューブＫや三方活栓１８等の各部のサイズや形状に応じてボタン孔１１を自由に選択して、それらを止めることも可能である。
【産業上の利用可能性】
【００４０】
本発明の腸瘻患者用衣服は、患者用衣服の他に日常着やパジャマなどの寝具にも利用が可能である。
【符号の説明】
【００４１】
１    上着
２    上着の前面部分
３    チューブ引出し口
４    チューブ引出し口の上方部位
５    チューブ中間止め帯
５ａ  基端部
５ｂ  先端部
６    係止手段
７    チューブ中間止め帯の上方部位
８    ボタン
９    糸
１０  チューブ折畳み止め帯
１１  ボタン孔
１１ａ、１１ｂ、１１ｃ、１１ｄ  ボタン孔
１２    上着の開口部
１２ａ  中央寄りの開口辺部
１２ｂ  側部寄りの開口辺部
１３    当て布
１３ａ  当て布の繋ぎ辺部
１３ｂ  当て布の上辺部
１３ｃ  当て布の下辺部
１３ｄ  当て布の内部開口辺部
１４    摘み部
１５    吊帯
１５ａ  吊帯の内側端部
１５ｂ  吊帯の外側端部
１６    摘み部
１７    摘み部
１８    三方活栓
１９    胸ポケット
２０    チューブカバー
２０ａ  チューブカバー縫着部
２１    面ファスナー
２１ａ  面ファスナー対向部
２１ｂ  面ファスナー対向部
２２    着脱式のチューブカバー
２３    面ファスナー
２４    名札
Ｋ      チューブ
Ｐ      下ポケット
【図１】
2013117077.tif 000003
【図２】
2013117077.tif 000004
【図３】
2013117077.tif 000005
【図４】
2013117077.tif 000006
【図５】
2013117077.tif 000007
【図６】
2013117077.tif 000008
【図７】
2013117077.tif 000009
【図８】
2013117077.tif 000010